(57)【要約】【課題】  キャリー箱において、組立性を向上するとともに、ケーキ等の出し入れ性を向上すること。【解決手段】  方形の底面１１の上端に順に折り曲げ線を介して後側面１２、蓋面１３、取っ手１４を連設し、底面１１の下端に順に折り曲げ線を介して前側面１５、蓋面１６、取っ手１７を連設し、後側面１２の左右端に折り曲げ線を介して左側面１８、右側面１９をそれぞれ連設し、左側面１８、右側面１９のそれぞれの上端、下端に折り曲げ線を介して係合面２１、連結面２２を連設し、係合面２１には切れ込み２１Ａ、２１Ｂを刻設し、取っ手１４、１７の外縁の両端寄りに溝を設け、取っ手１４、１７の内面同士を当接させて取っ手１４、１７の両端寄りの外縁に設けた溝を係合面２１の切れ込み２１Ａ、２１Ｂに係合させてなるキャリー箱１０において、連結面２２は、底面１１の内面上で、その外向き差込片２２Ａを、該底面１１に設けた切れ込み１１Ａに差し込んでなるもの。【選択図】  図４
2006168766.tif 000002
【特許請求の範囲】
【請求項１】
方形の底面の上端に順に折り曲げ線を介して後側面、蓋面、取っ手を連設し、底面の下端に順に折り曲げ線を介して前側面、蓋面、取っ手を連設し、後側面の左右端に折り曲げ線を介して左側面、右側面をそれぞれ連設し、左側面、右側面のそれぞれの上端、下端に折り曲げ線を介して係合面、連結面を連設し、係合面には切れ込みを刻設し、取っ手の外縁の両端寄りに溝を設け、取っ手の内面同士を当接させて取っ手の両端寄りの外縁に設けた溝を係合面の切れ込みに係合させてなるキャリー箱において、
連結面は、底面の内面上で、その外向き差込片を、該底面に設けた切れ込みに差し込んでなることを特徴とするキャリー箱。
【発明の詳細な説明】
【技術分野】
【０００１】
本発明はケーキ等の洋菓子を収納、運搬するに好適なキャリー箱に関する。
【背景技術】
【０００２】
キャリー箱として、特許文献１に記載の如く、底板、両側壁、前後壁よりなり、組み立てた状態で取っ手の両側に形成した凹凸状のフック部に、側壁から立設した係止孔付きの係止板を挿通係止することにより蓋と取っ手を係止固定する箱において、少なくとも前壁又は後壁側端に起立状態で左右側壁と重なり合うフラップ片を折り曲げ可能に連設し、該フラップ片の上端に前記係止板を突設するとともに、左右側壁の上端より下方位置にはフラップ片起立させた状態において、前記係止板を挿通して係止する左右方向の溝孔を穿設するものがある。
【特許文献１】特開2003-226325
【発明の開示】
【発明が解決しようとする課題】
【０００３】
特許文献１のキャリー箱には以下の問題点がある。
(1)箱の組立時に、フラップ片の上端に突設した係止板を、左右側壁の溝孔に挿通して係止する。係止板は、取っ手の両側のフック部に挿通係止するものであって、フラップ片の上端から長く突設している。長い係止板を折損させずに、左右側壁の溝孔に挿通して係止する必要があり、組立性が悪い。
【０００４】
(2)箱の組立状態で、底板の左右に立上っている両側壁の内側に、フラップ片が出張る。前壁を前方に倒してケーキ等を底板上に横入れする際の横入れ間口が、両側壁の間隔よりもフラップ片の出張分だけ狭くなり、ケーキ等の出し入れ性が悪い。
【０００５】
本発明の課題は、キャリー箱において、組立性を向上するとともに、ケーキ等の出し入れ性を向上することにある。
【課題を解決するための手段】
【０００６】
請求項１の発明は、方形の底面の上端に順に折り曲げ線を介して後側面、蓋面、取っ手を連設し、底面の下端に順に折り曲げ線を介して前側面、蓋面、取っ手を連設し、後側面の左右端に折り曲げ線を介して左側面、右側面をそれぞれ連設し、左側面、右側面のそれぞれの上端、下端に折り曲げ線を介して係合面、連結面を連設し、係合面には切れ込みを刻設し、取っ手の外縁の両端寄りに溝を設け、取っ手の内面同士を当接させて取っ手の両端寄りの外縁に設けた溝を係合面の切れ込みに係合させてなるキャリー箱において、連結面は、底面の内面上で、その外向き差込片を、該底面に設けた切れ込みに差し込んでなるようにしたものである。
【発明の効果】
【０００７】
(a)箱の組立時に、連結面の差込片は、底面の切れ込みに差し込んで係止するためのものであり、徒に長い差し込み深さを必要としない。従って、連結面の差し込み片は底面の切れ込みに容易に差し込みでき、組立性を向上できる。
【０００８】
(b)左側面と右側面は、それらの下端に設けた連結面の差込片を直に底面の切れ込みに差し込むことにより、底面に対し起立状態にて連結される。箱の組立状態で、左側面と右側面はケーキ等のための広く安定した横入れ間口を形成し、ケーキ等の出し入れ性を向上できる。
【０００９】
(c)箱の組立状態で、連結面は底面の内面上で、その差込片を底面の切れ込みに差し込まれており、底面の概ね全外面が載置面になってテーブル等に対する載置性も良い。
【発明を実施するための最良の形態】
【００１０】
図１はキャリー箱の展開図、図２はキャリー箱の組立状態を示す斜視図、図３はキャリー箱の組立初期段階を示す斜視図、図４はキャリー箱の組立中間段階を示す斜視図である。
【実施例】
【００１１】
キャリー箱１０は、図１に示す如く、方形の底面１１の上端に順に折り曲げ線ａ、ｂ、ｃを介して後側面１２、蓋面１３、取っ手１４を連設する。底面１１と後側面１２、後側面１２と蓋面１３、蓋面１３と取っ手１４の間にはそれぞれ折り曲げ線ａ〜ｃを設ける。
【００１２】
底面１１の下端には、順に折り曲げ線ｄ、ｅ、ｆを介して前側面１５、蓋面１６、取っ手１７を連設する。底面１１と前側面１５、前側面１５と蓋面１６、蓋面１６と取っ手１７の間にはそれぞれ折り曲げ線ｄ〜ｆを設ける。
【００１３】
後側面１２の左右端には、折り曲げ線ｇを介して左側面１８、右側面１９をそれぞれ連設する。左側面１８と右側面１９のそれぞれの上端、下端には、折り曲げ線ｈ、ｉを介して係合面２１、連結面２２を連設し、左側面１８と右側面１９の外端には折り曲げ線ｊを介して折り面２３を連設する。
【００１４】
蓋面１３における取っ手１４の下方部には山形部１３Ａが刻設され、蓋面１６における取っ手１７の下方部には山形部１６Ａが刻設される。取っ手１４、１７の外縁の両端には突起１４Ａ、１７Ａが設けられ、その内側にはＶ字状の溝１４Ｂ、１７Ｂが刻設される。係合面２１には折り曲げ線ｈの上部の円弧状の切れ込み２１Ａと、切れ込み２１Ａの中央から上に延びる縦切れ込み２１Ｂと、縦切れ込み２１Ｂの両側のミシン目２１Ｃが刻設される。取っ手１４と取っ手１７の内面同士を当接させて取っ手１４、１７の両端の突起１４Ａ、１７Ａを、係合面２１の切れ込み２１Ａ、縦切れ込み２１Ｂに係入し、溝１４Ｂ、１７Ｂを縦切れ込み２１Ｂの上端に係合させる。
【００１５】
連結面２２は外向き差込片２２Ａを備え、底面１１は左右両側に切れ込み１１Ａ、１１Ａを備える。連結面２２は、底面１１の内面上で、その外向き差込片２２Ａを底面１１の切れ込み１１Ａに差し込んで係合する。
【００１６】
以下、キャリー箱１０の組立手順について説明する。
(1)底面１１、前側面１５、蓋面１６、取っ手１７を、折り曲げ線ｇを介して、後側面１２、蓋面１３、取っ手１４に対して折り曲げる。
【００１７】
(2)連結面２２を折り曲げ線ｉを介して左側面１８、係合面２１、右側面１９、係合面２１に対して折り曲げる。
【００１８】
(3)折り曲げた連結面２２を有する左側面１８、右側面１９を、折り曲げ線ｇを介して内方に折り曲げる（図３）。
【００１９】
(4)連結面２２の外向き差込片２２Ａを底面１１の切れ込み１１Ａに対して外向きに差し込み（図４）、折り曲げ姿とする。この折り曲げ姿のキャリー箱１０の多数個を互いに嵌合重ね保管可能にする。
【００２０】
次に、折り曲げ姿のキャリー箱１０を店頭の使用段階で更に組立て、ケーキ等を収容する手順について説明する。
【００２１】
(1)折り曲げ姿のキャリー箱１０において、底面１１の延長面上に位置する前側面１５、蓋面１６、取っ手１７の上にケーキ等を置き、このケーキ等を横からスライドし、底面１１の両側に起立している左側面１８と右側面１９の間の横入れ間口から底面１１の上に収容する。
【００２２】
(2)ケーキ等を収容後、折り面２３を折り曲げ線ｊを介して内方に折り曲げ、続いて前側面１５、蓋面１６、取っ手１７を起立させ、前側面１５の内面を折り面２３の外面に当接させる。続いて、蓋面１３、１６を内方へ折り曲げ、蓋面１３、１６の山形部１３Ａ、１６Ａを互いに重ねて挿し通し、取っ手１４、１７同士を当接させ、取っ手１４、１７の突起１４Ａ、１７Ａを係合面２１の切れ込み２１Ａ、２１Ｂに係入し、溝１４Ｂ、１７Ｂを縦切れ込み２１Ｂの上端に係合させる。
【００２３】
(3)キャリー箱１０からケーキ等を取出すときには、取っ手１４、１７の突起１４Ａ、１７Ａと係合面２１の切れ込み２１Ａ、２１Ｂとの係合を解除し、前側面１５、蓋面１６、取っ手１７を底面１１の延長面たる平面状にし、ケーキ等をこの延長面上に取出す。
【００２４】
本実施例によれば以下の作用効果を奏する。
(a)キャリー箱１０の組立時に、連結面２２の差込片２２Ａは、底面１１の切れ込み１１Ａに差し込んで係止するためのものであり、徒に長い差し込み深さを必要としない。従って、連結面２２の差し込み片は底面１１の切れ込み１１Ａに容易に差し込みでき、組立性を向上できる。
【００２５】
(b)左側面１８と右側面１９は、それらの下端に設けた連結面２２の差込片２２Ａを直に底面１１の切れ込み１１Ａに差し込むことにより、底面１１に対し起立状態にて連結される。キャリー箱１０の組立状態で、左側面１８と右側面１９はケーキ等のための広く安定した横入れ間口を形成し、ケーキ等の出し入れ性を向上できる。
【００２６】
(c)キャリー箱１０の組立状態で、連結面２２は底面１１の内面上で、その差込片２２Ａを底面１１の切れ込み１１Ａに差し込まれており、底面１１の概ね全外面が載置面になってテーブル等に対する載置性も良い。
【００２７】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００２８】
【図１】図１はキャリー箱の展開図である。
【図２】図２はキャリー箱の組立状態を示す斜視図である。
【図３】図３はキャリー箱の組立初期段階を示す斜視図である。
【図４】図４はキャリー箱の組立中間段階を示す斜視図である。
【符号の説明】
【００２９】
１０  キャリー箱
１１  底面
１１Ａ  切れ込み
１２  後側面
１３  蓋面
１４  取っ手
１４Ａ  突起
１４Ｂ  溝
１５  前側面
１６  蓋面
１７  取っ手
１７Ａ  突起
１７Ｂ  溝
１８  左側面
１９  右側面
２１  係合面
２１Ａ、２１Ｂ  切れ込み
２２  連結面
２２Ａ  外向き差込片
【図１】
2006168766.tif 000003
【図２】
2006168766.tif 000004
【図３】
2006168766.tif 000005
【図４】
2006168766.tif 000006